(57)【要約】【課題】発熱部分の影響により表示領域内において温度ムラが生じても画像表示に異常をきたさないようにする。【解決手段】表示装置１４０は、コレステリック液晶の配向状態を変更して表示を行う装置であり、温度センサ１５０Ａが表示装置の下面中央に配置され、温度センサ１５０Ｆが表示装置の下面であって高温となる電子部品近傍に配置されている。画像表示を行う際には、温度センサ１５０Ａと温度センサ１５０Ｆとの温度差に基づいて温度センサ１５０Ｆの位置と温度センサ１５０Ｆの周囲の表示画素の温度が求められる。そして、表示画素の温度と、表示画素の階調を定めた階調値に基づいて、表示画素に印加する電圧が制御されて表示画素が駆動される。【選択図】図１
2008257010.tif 000002
【特許請求の範囲】
【請求項１】
複数の走査電極と複数のデータ電極との重なり位置に対応して設けられ、前記走査電極に走査電圧が印加され、かつ前記データ電極にデータ電圧が印加されたときに、前記データ電圧および前記走査電圧に応じた駆動電圧が印加される電気光学層を含む複数の表示画素を有する表示装置を駆動する表示駆動装置であって、
前記表示装置において複数の表示画素が配置された表示領域の温度を検知する手段であって、前記表示領域において熱が加わる所定の第１位置の温度を検知する第１検知手段と、
前記表示領域の温度を検知する手段であって、前記第１位置から所定の距離だけ離れた第２位置の温度を検知する第２検知手段と、
前記第１検知手段で検知した温度と、前記第２検知手段で検知した温度との温度差に基づいて、前記第１位置と前記第１位置周囲の表示画素の温度を特定する温度演算手段と、
前記温度演算手段により特定された前記第１位置と前記第１位置周囲の表示画素の温度と、前記第１位置と前記第１位置周囲の表示画素の階調を定めた階調値に基づいて、前記第１位置と前記第１位置周囲の表示画素を駆動する駆動手段と
を有する表示駆動装置。
【請求項２】
前記第１位置と前記第１位置周囲の表示画素は、所定の温度差で複数の領域に区分されており、前記駆動手段は、前記複数の領域の各領域内の表示画素の温度と、前記各領域内の表示画素の階調を定めた階調値に基づいて、前記各領域内の表示画素を駆動することを特徴とする請求項１に記載の表示駆動装置。
【請求項３】
前記表示領域のうち、前記第１位置と前記第１位置周囲以外の複数位置の温度を検知する温度検知手段と、
前記第２検知手段により検知された温度と前記温度検知手段により検知された前記複数位置の温度との基準温度を求める基準温度演算手段を有し、
前記駆動手段は、前記複数の表示画素のうち前記第１位置と前記第１位置周囲の表示画素を除く他の表示画素について、前記基準温度演算手段により求められた基準温度と前記他の表示画素の階調を定めた階調値に基づいて、前記他の表示画素を駆動すること
を特徴とする請求項１または請求項２に記載の表示駆動装置。
【請求項４】
前記複数の表示画素により表される画像中において文字を有する文字領域にある表示画素を特定する文字領域特定手段を有し、
前記駆動手段は、前記文字領域特定手段により特定された表示画素については、前記文字領域内のいずれかの表示画素の温度と、前記文字領域内の表示画素の階調を定めた階調値に基づいて、前記文字領域内の表示画素を駆動することを特徴とする請求項２に記載の表示駆動装置。
【請求項５】
前記基準温度は、前記第２検知手段により検知された温度と前記温度検知手段により検知された前記複数位置の温度との平均の温度であることを特徴とする請求項３に記載の表示駆動装置。
【請求項６】
前記基準温度は、前記第２検知手段により検知された温度と前記温度検知手段により検知された前記複数位置の温度のうちの最も低い温度であることを特徴とする請求項３に記載の表示駆動装置。
【請求項７】
複数の走査電極と複数のデータ電極との重なり位置に対応して設けられ、前記走査電極に走査電圧が印加され、かつ前記データ電極にデータ電圧が印加されたときに、前記データ電圧および前記走査電圧に応じた駆動電圧が印加される電気光学層を含む複数の表示画
素を有する表示装置を駆動する表示駆動装置であって、
前記表示領域の温度を検知する手段であって、前記表示装置において複数の表示画素が配置された表示領域の所定の第１位置から所定の距離だけ離れた第２位置の温度を検知する温度検知手段と、
前記第１位置へ熱を加える発熱部から放出される熱量を予め記憶し、前記表示装置の駆動時間と、記憶した熱量と、前記温度検知手段で検知した温度とに基づいて、前記第１位置と前記第１位置周囲の表示画素の温度を特定する温度演算手段と、
前記温度演算手段により特定された前記第１位置と前記第１位置周囲の表示画素の温度と、前記第１位置と前記第１位置周囲の表示画素の階調を定めた階調値に基づいて、前記第１位置と前記第１位置周囲の表示画素を駆動する駆動手段と
を有する表示駆動装置。
【請求項８】
前記電気光学層の材料は、最終的な表示状態において、分子配向が異なる複数の最終配向状態を呈する液晶材料であり、
前記駆動手段は、前記分子配向の配向状態を前記最終配向状態とは異なる過渡配向状態に遷移させた後、前記最終分子配向状態を選択期間で選択する駆動方式を用いて、前記複数の表示画素を駆動することを特徴とする請求項１ないし７のいずれかに記載の表示駆動装置。
【請求項９】
前記液晶材料は、コレステリック液晶を用いたものであることを特徴とする請求項８に記載の表示駆動装置。
【請求項１０】
複数の走査電極と複数のデータ電極との重なり位置に対応して設けられ、前記走査電極に走査電圧が印加され、かつ前記データ電極にデータ電圧が印加されたときに、前記データ電圧および前記走査電圧に応じた駆動電圧が印加される電気光学層を含む複数の表示画素と、
前記複数の表示画素が配置された表示領域の温度を検知する手段であって、前記表示領域において熱が加わる所定の第１位置の温度を検知する第１検知手段と、
前記表示領域の温度を検知する手段であって、前記第１位置から所定の距離だけ離れた第２位置の温度を検知する第２検知手段と、
前記第１検知手段で検知した温度と、前記第２検知手段で検知した温度との温度差に基づいて、前記第１位置と前記第１位置周囲の表示画素の温度を特定する温度演算手段と、
前記温度演算手段により特定された前記第１位置と前記第１位置周囲の表示画素の温度と、前記第１位置と前記第１位置周囲の表示画素の階調を定めた階調値に基づいて、前記第１位置と前記第１位置周囲の表示画素を駆動する駆動手段と
を有する電子機器。
【発明の詳細な説明】
【技術分野】
【０００１】
本発明は、記憶性液晶を用いて画像表示を行う技術に関する。
【背景技術】
【０００２】
電子ブックまたは電子ペーパー等においては、コレステリック液晶などの記憶性液晶が表示に用いられている。これはコレステリック液晶を表示に用いた場合、コレステリック液晶に電圧を印加しなくても表示を保持することができ、消費電力を抑えることができるという利点があるためである。しかしながら、コレステリック液晶を表示に用いた場合、表示の書き換えにおいて時間がかかるという問題がある。そこで書き換えに時間がかかるのを改善する技術として、特許文献１に記載された、いわゆるＤＤＳ（Dynamic Drive Scheme）という技術が考案されている。
【０００３】
このＤＤＳにおいては、コレステリック液晶の配向状態を変化させて表示を行う際、リセット期間、選択期間、保持期間、非選択期間をへて配向状態が決定される。具体的には、まずリセット期間においては、配向状態をホメオトロピック配向に遷移させる電圧がコレステリック液晶に印加され、次の選択期間においては、画素の部分をホメオトロピック配向にするか、過渡プレーナ配向にするかを選択する電圧（以下、この電圧を選択電圧と称する）が印加される。そして、次の保持期間においては、選択期間においてホメオトロピック配向とされた画素部分の配向状態を維持し、選択期間において過渡プレーナ配向とされた画素部分の配向状態をフォーカルコニック配向に遷移させる電圧が印加される。次に印加されている電圧が非選択期間において除去されると、保持期間においてホメオトロピック配向となっていた部分がプレーナ配向に遷移する。フォーカルコニック配向となった部分は黒が表示され、プレーナ配向となった部分は白が表示されるので、配向状態を制御することにより各種表示を行うことができる。
【０００４】
【特許文献１】米国特許第５７４８２７７号明細書
【発明の開示】
【発明が解決しようとする課題】
【０００５】
さて、ＤＤＳにおいては、選択期間においてコレステリック液晶に印加する電圧に応じてその後の配向状態が決定されるが、配向状態は電圧を印加される時の温度に影響を受けることが明らかになっている。図１９は、選択電圧とコレステリック液晶の反射率との関係の温度特性を模式的に示した図であり、横軸は選択電圧、縦軸は反射率を示している。反射率は、基準となる標準白色板の反射輝度を１００％としたときの相対値である。この反射率が高い（白レベル）ということは、コレステリック液晶がプレーナ配向に近づいて白みが強くなっていることを意味し、反射率が低い（黒レベル）ということは、コレステリック液晶がフォーカルコニック配向に近づいて黒みが強くなっていることを意味する。そして、反射率が白レベルと黒レベルの間にあるということは、白と黒の間の中間階調（グレー）が表れていることを意味する。
【０００６】
図１９によれば、表示領域の温度が全体に渡ってムラなく２４〜２６℃の範囲内にあるときに、選択電圧Ｖ２を印加すると電圧が印加された部分の反射率は白レベルとなり、選択電圧として電圧Ｖ１を印加すると電圧が印加された部分の反射率は黒レベルとなって、白および黒の表示を正しく行うことができることがわかる（以下、黒を表示するときに印加する電圧を黒選択電圧、白を表示するときに印加する電圧を白選択電圧、選択電圧Ｖ１，Ｖ２により正しく白黒を表示できる温度範囲を温度マージン、選択電圧を設定する際に基準とした温度を基準温度と称する）。
【０００７】
しかしながら、電子ブックまたは電子ペーパー等においては装置の構成や装置外部からの影響により、表示領域の一部の温度が高く（または低く）なる等、表示領域内において温度が一様ではなく温度にムラが生じる場合がある。例えば、表示領域の下方にＣＰＵ（Central Processing Unit）など熱を発生する電子部品が配置されている場合、その電子部品の発熱により、その電子部品近傍の液晶温度が他の表示領域より上昇する。ここで、電子部品の発熱により、例えば、電子部品近傍の液晶温度が２９℃、他の表示領域の温度が２４〜２６℃の範囲内というように表示領域内において温度ムラが生じた場合、上述したように、選択電圧Ｖ１，Ｖ２が設定されていると、２４℃〜２６℃の範囲内にある表示領域は白・黒の表示が正しく行われるものの、２９℃となった部分においては、白を表示させるために電圧Ｖ２を選択電圧として印加しても、図１９によれば電圧Ｖ２が印加された部分は白ではなく黒となってしまい、正しく表示が行えなくなるという問題が生じてしまう。
【０００８】
本発明は、上述した背景の下になされたものであり、その目的は、発熱部分の影響により表示領域内において温度ムラが生じても画像表示に異常をきたさないようにすることにある。
【課題を解決するための手段】
【０００９】
上述した課題を解決するために本発明は、複数の走査電極と複数のデータ電極との重なり位置に対応して設けられ、前記走査電極に走査電圧が印加され、かつ前記データ電極にデータ電圧が印加されたときに、前記データ電圧および前記走査電圧に応じた駆動電圧が印加される電気光学層を含む複数の表示画素を有する表示装置を駆動する表示駆動装置であって、前記表示装置において複数の表示画素が配置された表示領域の温度を検知する手段であって、前記表示領域において熱が加わる所定の第１位置の温度を検知する第１検知手段と、前記表示領域の温度を検知する手段であって、前記第１位置から所定の距離だけ離れた第２位置の温度を検知する第２検知手段と、前記第１検知手段で検知した温度と、前記第２検知手段で検知した温度との温度差に基づいて、前記第１位置と前記第１位置周囲の表示画素の温度を特定する温度演算手段と、前記温度演算手段により特定された前記第１位置と前記第１位置周囲の表示画素の温度と、前記第１位置と前記第１位置周囲の表示画素の階調を定めた階調値に基づいて、前記第１位置と前記第１位置周囲の表示画素を駆動する駆動手段とを有する表示駆動装置を提供する。
【００１０】
本発明においては、前記第１位置と前記第１位置周囲の表示画素は、所定の温度差で複数の領域に区分されており、前記駆動手段は、前記複数の領域の各領域内の表示画素の温度と、前記各領域内の表示画素の階調を定めた階調値に基づいて、前記各領域内の表示画素を駆動してもよい。
【００１１】
また、本発明においては、前記表示領域のうち、前記第１位置と前記第１位置周囲以外の複数位置の温度を検知する温度検知手段と、前記第２検知手段により検知された温度と前記温度検知手段により検知された前記複数位置の温度との基準温度を求める基準温度演算手段を有し、前記駆動手段は、前記複数の表示画素のうち前記第１位置と前記第１位置周囲の表示画素を除く他の表示画素について、前記基準温度演算手段により求められた基準温度と前記他の表示画素の階調を定めた階調値に基づいて、前記他の表示画素を駆動してもよい。
【００１２】
また、本発明においては、前記複数の表示画素により表される画像中において文字を有する文字領域にある表示画素を特定する文字領域特定手段を有し、前記駆動手段は、前記文字領域特定手段により特定された表示画素については、前記文字領域内のいずれかの表示画素の温度と、前記文字領域内の表示画素の階調を定めた階調値に基づいて、前記文字
領域内の表示画素を駆動してもよい。
【００１３】
また、本発明においては、前記基準温度は、前記第２検知手段により検知された温度と前記温度検知手段により検知された前記複数位置の温度との平均の温度であってもよい。
また、本発明においては、前記基準温度は、前記第２検知手段により検知された温度と前記温度検知手段により検知された前記複数位置の温度のうちの最も低い温度であってもよい。
【００１４】
また、本発明は、複数の走査電極と複数のデータ電極との重なり位置に対応して設けられ、前記走査電極に走査電圧が印加され、かつ前記データ電極にデータ電圧が印加されたときに、前記データ電圧および前記走査電圧に応じた駆動電圧が印加される電気光学層を含む複数の表示画素を有する表示装置を駆動する表示駆動装置であって、前記表示領域の温度を検知する手段であって、前記表示装置において複数の表示画素が配置された表示領域の所定の第１位置から所定の距離だけ離れた第２位置の温度を検知する温度検知手段と、前記第１位置へ熱を加える発熱部から放出される熱量を予め記憶し、前記表示装置の駆動時間と、記憶した熱量と、前記温度検知手段で検知した温度とに基づいて、前記第１位置と前記第１位置周囲の表示画素の温度を特定する温度演算手段と、前記温度演算手段により特定された前記第１位置と前記第１位置周囲の表示画素の温度と、前記第１位置と前記第１位置周囲の表示画素の階調を定めた階調値に基づいて、前記第１位置と前記第１位置周囲の表示画素を駆動する駆動手段とを有する表示駆動装置を提供する。
【００１５】
また、本発明においては、前記電気光学層の材料は、最終的な表示状態において、分子配向が異なる複数の最終配向状態を呈する液晶材料であり、前記駆動手段は、前記分子配向の配向状態を前記最終配向状態とは異なる過渡配向状態に遷移させた後、前記最終分子配向状態を選択期間で選択する駆動方式を用いて、前記複数の表示画素を駆動してもよい。
また、本発明においては、前記液晶材料は、コレステリック液晶を用いたものであってもよい。
【００１６】
また、本発明は、複数の走査電極と複数のデータ電極との重なり位置に対応して設けられ、前記走査電極に走査電圧が印加され、かつ前記データ電極にデータ電圧が印加されたときに、前記データ電圧および前記走査電圧に応じた駆動電圧が印加される電気光学層を含む複数の表示画素と、前記複数の表示画素が配置された表示領域の温度を検知する手段であって、前記表示領域において熱が加わる所定の第１位置の温度を検知する第１検知手段と、前記表示領域の温度を検知する手段であって、前記第１位置から所定の距離だけ離れた第２位置の温度を検知する第２検知手段と、前記第１検知手段で検知した温度と、前記第２検知手段で検知した温度との温度差に基づいて、前記第１位置と前記第１位置周囲の表示画素の温度を特定する温度演算手段と、前記温度演算手段により特定された前記第１位置と前記第１位置周囲の表示画素の温度と、前記第１位置と前記第１位置周囲の表示画素の階調を定めた階調値に基づいて、前記第１位置と前記第１位置周囲の表示画素を駆動する駆動手段とを有する電子機器を提供する。
【発明を実施するための最良の形態】
【００１７】
［実施形態の構成］
図１は、本発明の一実施形態に係る電子機器１００のハードウェア構成の概略図である。電子機器１００は、文字や図形、写真等の画像の表示を行う薄い板状の形状をした電子機器であり、制御回路１１０、電源回路１２０、表示体駆動回路１３０、表示装置１４０、温度センサ１５０Ａ〜１５０Ｆ、インターフェース１６０を備えている。以下、各部の構成について説明する。
【００１８】
（表示装置１４０）
表示装置１４０は画像の表示を行う装置である。この表示装置１４０は、透明電極が設けられた２枚のガラス基板によって電気光学層を上下から挟み込んで封止した装置であり、電気光学層としては、電力を供給しなくとも配向状態を維持できるコレステリック液晶を含む液晶層を有している。図２（ａ）〜（ｃ）は、表示装置１４０の断面およびコレステリック液晶の配向状態を示した図である。図２（ａ）〜（ｃ）に示したように、表示装置１４０は、上側透明電極１４１４を有する上側ガラス基板１４１２、下側透明電極１４１５を有する下側ガラス基板１４１３、コレステリック液晶層１４１１、光吸収層１４１６を有している。この表示装置１４０においては、コレステリック液晶層１４１１は上側ガラス基板１４１２と下側ガラス基板１４１３との間に挟まれて封止されている。また、下側ガラス基板１４１３の下には光吸収層１４１６が配置されている。
【００１９】
また、上側透明電極１４１４と下側透明電極１４１５には、コレステリック液晶に電圧を印加するための走査線とデータ線とが設けられている。図３は、この走査線とデータ線とを模式的に示した図である。表示装置１４０の一方のガラス基板にはｎ桁の走査線Ｙ１、Ｙ２、…、Ｙｎが設けられており、もう一方のガラス基板には走査線に対して直交する方向にｍ列のデータ線Ｘ１、Ｘ２、…、Ｘｍが設けられている。これにより表示装置１４０においては、ｎ×ｍのマトリクスが形成されている（ｎおよびｍは正の整数）。
【００２０】
平面視した時に走査線とデータ線とが重なる位置で走査線とデータ線とに挟まれるコレステリック液晶には、走査線に印加される電圧（走査電圧）とデータ線に印加される電圧（データ電圧）との差に相当する電圧（以下、この電圧を「駆動電圧」という）が印加される。走査線とデータ線とに挟まれたコレステリック液晶の配向状態は駆動電圧に応じて遷移する。つまり、走査線とデータ線とが重なる位置にあるコレステリック液晶の各々が画像を形成する画素の役割を担うこととなる。以降の説明では、この走査線とデータ線とが重なる位置において個別に配向状態を遷移させられるコレステリック液晶の各々を「電気光学素子１４１」と称する。
【００２１】
図２（ａ）はプレーナ配向（以下、「Ｐ配向」という）、図２（ｂ）はフォーカルコニック配向（以下、「Ｆ配向」という）、図２（ｃ）はホメオトロピック配向（以下、「Ｈ配向」という）を模式的に示した図である。Ｐ配向状態では、上側ガラス基板１４１２側から入射した光がＰ配向状態にあるコレステリック液晶層１４１１で反射されて白が表示される。また、Ｆ配向状態では、上側ガラス基板１４１２側から入射した光がＦ配向状態にあるコレステリック液晶層１４１１を透過する。コレステリック液晶層１４１１を透過した光は光吸収層１４１６に到達して吸収されるため、黒が表示される。また、コレステリック液晶に印加する電圧を制御することにより、Ｐ配向状態とＦ配向状態を混在させて中間階調を表示することも可能である。また、Ｈ配向状態では、コレステリック液晶の分子構造は螺旋構造が崩れた状態になり、上側ガラス基板１４１２側から入射した光はコレステリック液晶を透過する。なお、Ｈ配向は安定状態ではないためコレステリック液晶に電圧が印加されている状態においてのみ存在する。
【００２２】
このように、コレステリック液晶の配向状態を制御することにより、表示装置１４０では白および黒の表示を行うことができるが、本実施形態においてはコレステリック液晶の配向状態をＤＤＳ（Dynamic Drive Scheme）の駆動方式により変更する。
【００２３】
図４は、ＤＤＳによりコレステリック液晶の配向状態を制御するときの電圧の印加期間を示した図である。ＤＤＳによりコレステリック液晶の配向状態を変更するときは、電圧の印加期間は図４に示したように非選択期間（Non-selection phase）、リセット期間（Preparation phase）、選択期間（Selection phase）、保持期間（Evolution phase）の４つの期間に分けられる。そして、走査線Ｙ１〜Ｙｎに対して１ラインづつ順番に選択期間
が割り当てられる（図４においては走査線Ｙ１〜Ｙ４のみ図示）。
【００２４】
図５は、ＤＤＳにおけるコレステリック液晶の配向状態の遷移を示した図である。まずリセット期間においては、Ｐ配向またはＦ配向にある電気光学素子１４１をＨ配向（過渡配向状態）にする電圧（以下、リセット電圧という）が電気光学素子１４１に印加される。これにより、電気光学素子１４１はＨ配向に遷移する。
【００２５】
次に選択期間においては、コレステリック液晶の表示状態を要求される表示状態（２階調であれば白または黒であり、最終的な表示状態）に対応した配向状態（最終配向状態）とするための選択電圧が印加される。具体的には、白を表示する場合にはＨ配向の配向状態を維持する電圧が電気光学素子１４１に印加され、黒を表示する場合には配向状態をＨ配向とＰ配向の中間的な状態である過渡プレーナ配向（以下、「ＴＰ配向」という）にする電圧が電気光学素子１４１に印加される。これにより、電気光学素子１４１は、要求される表示状態に対応してＨ配向またはＴＰ配向のいずれかに遷移する。
【００２６】
次に保持期間においては、要求される表示状態を維持するための電圧（以下、「保持電圧」という）が印加される。保持電圧が印加されると、選択期間においてＨ配向となった電気光学素子１４１はＨ配向状態が維持され、ＴＰ配向となった電気光学素子１４１はＦ配向に遷移する。
【００２７】
次に非選択期間において保持電圧が除去されると、保持期間においてＨ配向であった電気光学素子１４１はＰ配向に遷移して白を表示し、保持期間においてＦ配向であった電気光学素子１４１はＦ配向を維持して黒を表示する。なお、コレステリック液晶は双安定性を有する材料であるため、電圧を印加しない状態であってもＰ配向またはＦ配向を維持することができる。
【００２８】
次に、配向状態を遷移させるときに電気光学素子１４１に印加する電圧の波形を説明する。図６は、ＤＤＳにおいて走査線に印加される電圧の波形、データ線に印加される電圧の波形、および駆動電圧の波形を示した図である。図６に示したように本実施形態においては、コレステリック液晶の劣化を防ぐために駆動電圧として正負の電圧が交互に電気光学素子１４１に印加される。なお、図６に示されている電圧Ｖ１は、黒を表示する時に駆動電圧として印加する黒選択電圧Ｖ１であり、電圧Ｖ２は、白を表示する時に駆動電圧として印加する白選択電圧Ｖ２である。
【００２９】
まず、画素を白とする場合、画素に対応するデータ線の電圧（以下、「データ電圧ＶＳＥＧ」という）は、選択期間の前半においては白を表示するための白選択電圧Ｖ２、選択期間の後半においては黒を表示するための黒選択電圧Ｖ１にされる。ここで、Ｖ２とＶ１の大小関係は、Ｖ２＞Ｖ１である。このとき画素に対応する走査線の電圧（以下、「走査電圧ＶＣＯＭ」という）は、選択期間の前半においてはゼロ、後半においては（Ｖ１＋Ｖ２）にされる。これにより、選択期間において画素に対応する電気光学素子１４１に印加される駆動電圧（データ電圧ＶＳＥＧ−走査電圧ＶＣＯＭ）は、選択期間の前半においてはＶ２、後半においては−Ｖ２となり、選択期間においてはＨ配向が維持される。
【００３０】
一方、非選択期間においては画素の走査電圧ＶＣＯＭは（Ｖ１＋Ｖ２）／２にされる。なお、非選択期間においては、データ線に白を表示させるための波形と黒を表示させるための波形のいずれが印加されようとも、Ｈ配向となっている電気光学素子１４１に印加される駆動電圧（データ電圧ＶＳＥＧ−走査電圧ＶＣＯＭ）の非選択期間全体の実効値は、（Ｖ２−Ｖ１）／２となり、電気光学素子１４１はＨ配向からＰ配向に遷移して白が表示される。
【００３１】
また、黒を表示する場合、画素に対応するデータ線の電圧は、選択期間の前半においては黒を表示するための黒選択電圧Ｖ１にされ、選択期間の後半においては白を表示するための白選択電圧Ｖ２にされる。このとき画素に対応する走査線の電圧は、選択期間の前半においてはゼロ、後半においては（Ｖ１＋Ｖ２）にされる。これにより、選択期間において画素に対応する電気光学素子１４１に印加される駆動電圧（データ電圧ＶＳＥＧ−走査電圧ＶＣＯＭ）は、選択期間の前半においてはＶ１、後半においては−Ｖ１となり、選択期間においてはＴＰ配向となる。そして、ＴＰ配向となった電気光学素子１４１は、保持期間においてＦ配向に遷移して黒が表示される。
【００３２】
また、ある画素を中間階調とする場合、画素に対応するデータ線には、選択期間の前半において黒選択電圧Ｖ１と白選択電圧Ｖ２が印加され、また、選択期間の後半においても黒選択電圧Ｖ１と白選択電圧Ｖ２が印加される。これにより、選択期間において画素に対応する電気光学素子１４１に印加される駆動電圧（データ電圧ＶＳＥＧ−走査電圧ＶＣＯＭ）は、選択期間の前半においてはＶ１の後でＶ２となり、後半においては−Ｖ２の後で−Ｖ１となり、非選択期間となった時にＰ配向とＦ配向が混在して中間階調が表示される。なお、選択期間の前半と後半においては、白選択電圧Ｖ２が印加される期間と、黒選択電圧Ｖ１が印加される期間は、画素を白または黒にする時と比較すると、図６に示したように異なっており、黒選択電圧Ｖ１と白選択電圧Ｖ２のパルス幅を制御（ＰＷＭ（Pulse Width Modulation）制御）してコレステリック液晶に印加される電圧の実効値を制御することにより、階調を変えることができる。
【００３３】
（温度センサ１５０）
温度センサ１５０Ａ〜１５０Ｆ（以下、各々を区別する必要のない場合は単に温度センサ１５０と称する）は温度を測定するためのセンサであり、温度センサ１５０は、図７に示したようにサーミスタ１５１と抵抗１５２とを有している。サーミスタ１５１の一端は接地されており、もう一端は抵抗１５２の一端に接続されている。また、抵抗１５２のもう一端は電圧源に接続されている。サーミスタ１５１は温度の変化に応じて抵抗値が変化する素子であるため、図７に示した温度センサ１５０において温度変化に応じてサーミスタ１５１の抵抗値が変化すると、この変化に応じてサーミスタ１５１と抵抗１５２との間の接続点１５３の電圧値が変化する。即ち、接続点１５３の電圧値はサーミスタ１５１の温度変化に応じて変化するため、接続点１５３の電圧値を検知することにより、温度センサ１５０が設けられている部分の温度を知ることができる。
【００３４】
そして、温度センサ１５０Ａ〜１５０Ｆは、光吸収層１４１６の下に配置されている。図８は表示装置１４０を上側ガラス基板１４１２側から見た平面図であるが、本実施形態においては、６つの温度センサ１５０Ａ〜１５０Ｆが光吸収層１４１６の下面に配置されており、図８に示したように、温度センサ１５０Ａは光吸収層１４１６の中央に配置され、温度センサ１５０Ｂ〜１５０Ｅは矩形の表示領域の４隅の各々に配置されている。
【００３５】
また、図９は板状の形状をした電子機器１００の断面の一部を模式的に示した図であるが、電子機器１００においては、制御回路１１０、電源回路１２０、表示体駆動回路１３０等の各種回路が配置された基板１７０が表示装置１４０の下面に配置され、これらの回路の中においては他の部分と比較して高温となる電子部品１７１がある。本実施形態においては、図９に示したように温度センサ１５０Ｆは、ＣＰＵ、電源回路、ＦＰＧＡ等、熱を発生する電子部品１７１と光吸収層１４１６との間に配置されている。
【００３６】
（インターフェース１６０）
インターフェース１６０は、表示装置１４０に表示されている表示の書き換えを行うための書き換えキーなど、電子機器１００を操作するためのキーを有しており、キーが操作されるとキーが操作されたことを示す信号を制御回路１１０へ出力する。
また、インターフェース１６０は、他のコンピュータ装置と通信を行う通信インターフェース機能を備えている。インターフェース１６０は、他のコンピュータ装置から送信された各種データ（例えば、画像を表す画像データ等）を受信し、受信したデータをＣＰＵ１１１へ出力する。
【００３７】
（制御回路１１０）
制御回路１１０は、表示体駆動回路１３０を制御する回路であり、ＣＰＵ（Central Processing Unit）１１１、ＲＯＭ（Read Only Memory）１１２、ＲＡＭ（Random Access Memory）１１３、ＡＤ（Analog Digital）コンバータ１１４、表示体駆動制御回路１１５を有している。ＣＰＵ１１１には、ＲＯＭ１１２、ＲＡＭ１１３、表示体駆動制御回路１１５、電源回路１２０が接続されている。ＣＰＵ１１１はＲＯＭ１１２に記憶されている制御プログラムに従って動作し、表示体駆動制御回路１１５を制御する。また、ＣＰＵ１１１には、ＡＤコンバータ１１４、インターフェース１６０が接続されている。ＣＰＵ１１１は、インターフェース１６０から入力される信号や、ＡＤコンバータ１１４から入力される信号に基づいて表示体駆動制御回路１１５を制御する。また、ＲＡＭ１１３には、他のコンピュータ装置からインターフェース１６０を介して受信された画像データが記憶される。
【００３８】
ＡＤコンバータ１１４はアナログ信号をデジタル信号に変換する回路であり、表示装置１４０に配置されている複数の温度センサ１５０の各接続点１５３に接続されている。ＡＤコンバータ１１４は、接続点１５３の電圧値をデジタル値に変換してＣＰＵ１１１へ出力する。
【００３９】
表示体駆動制御回路１１５は、ＣＰＵ１１１の制御の下、電源回路１２０や表示体駆動回路１３０を制御する回路である。表示体駆動制御回路１１５は、図示せぬＲＡＭを有しており、このＲＡＭには、画素値マップＭＡＰ１と温度マップＭＡＰ２とが設けられている。この画素値マップＭＡＰ１は、マトリクス状に配置されている電気光学素子１４１の各々に対応して図１０に示したようにｎ×ｍのマトリクス状に画素値格納領域が設けられており、各画素値格納領域にはビットマップデータが表すビットマップ画像の各画素の画素値（画素の濃度値）が格納される。例えば、表示装置１４０が、黒、グレー、白というように３階調の表示を行う場合、本実施形態に係るビットマップデータにおいては、ビットマップ画像の各画素の画素値は、黒＝「０」、グレー＝「１」、白＝「２」というように設定される。そして、各画素の画素値がビットマップデータに応じて画素値格納領域に格納される。例えば、ビットマップデータが表すビットマップ画像の１行１列目の画素の画素が黒（画素値＝０）である場合、１行１列目の画素に対応した画素値格納領域には、画素値として「０」が格納される。また、１行２列目の画素の画素がグレー（画素値＝１）である場合、１行２列目の画素に対応した画素値格納領域には、画素値として「１」が格納される。また、１行３列目の画素の画素が白（画素値＝２）である場合、１行３列目の画素に対応した画素値格納領域には、画素値として「２」が格納される。
【００４０】
また、温度マップＭＡＰ２は、画素値マップＭＡＰ１と同様に、マトリクス状に配置されている電気光学素子１４１の各々に対応して図１１に示したようにｎ×ｍのマトリクス状に温度格納領域が設けられており、各温度格納領域には各電気光学素子１４１の温度を表す値が格納される。例えば、１行１列目の電気光学素子１４１の温度が「２４℃」である場合、１行１列目（Ｙ１とＸ１の交差位置）の電気光学素子１４１に対応した温度格納領域には、図１１に示したように温度値として「２４」が格納される。また、３行１列目（Ｙ３とＸ１の交差位置）の電気光学素子１４１の温度が「２５℃」である場合、３行１列目の電気光学素子１４１に対応した温度格納領域には、図１１に示したように温度値として「２５」が格納される。
【００４１】
また、表示体駆動制御回路１１５は、図１２に示したテーブルＴＢを記憶している。テーブルＴＢは、「温度」フィールド、「電圧値」フィールド、「出力値」フィールドを有しており、「温度」フィールドには温度を表す数値が格納され、「電圧値」フィールドには、中間階調を表示する時に電気光学素子１４１に印加する選択電圧の実効電圧を表す値が格納されている。また、「出力値」フィールドには、黒選択電圧Ｖ１を「０」、白選択電圧Ｖ２を「２５５」として選択電圧を正規化した時の値が格納されている。
例えば、本実施形態において、基準温度が２５℃として選択期間の長さ、保持期間の電圧、保持期間の長さを設定したときの選択電圧とコレステリック液晶の反射率との関係の温度特性が図１３に示した関係にある場合、コレステリック液晶の温度が２５℃の時にグレーを表示するために印加する選択電圧は、図１３に示した関係からＶ２５０（２5０）となるため、テーブルＴＢにおいて温度「２５℃」のレコードの電圧値のセルには、電圧値「Ｖ２５０（２5０）」が格納され、温度「２５℃」のレコードの出力値のセルには、電圧値を正規化した値である「５０」が格納される。（なお、（２５０）は、２５．０℃を基準にしているという意味である。）
また、上記の場合と同様に基準温度が基準温度が２５℃として選択期間の長さ、保持期間の電圧、保持期間の長さを設定したときに例えば発熱部近傍のコレステリック液晶の温度が２６℃となった場合、この発熱部近傍においてグレーを表示するために印加する選択電圧は、図１３に示した関係からＶ２６０（２５０）となるため、テーブルＴＢにおいて温度「２６℃」のレコードの電圧値のセルには、電圧値「Ｖ２６０（２５０）」が格納され、温度「２６℃」のレコードの出力値のセルには、電圧値を正規化した値である「１００」が格納される。
【００４２】
そして、表示体駆動制御回路１１５は、画素値マップＭＡＰ１に格納された画素値を正規化してデータ電極駆動回路１３１へ出力する。例えば、ある画素の画素値が黒を表す「０」である場合には、この画素値を正規化して「０」としてデータ電極駆動回路１３１へ出力し、画素値が白を表す「１」である場合には、この画素値を正規化して「２５５」としてデータ電極駆動回路１３１へ出力する。また、表示体駆動制御回路１１５は、ある画素の画素値がグレーを表す「１」である場合には、温度マップＭＡＰ２において、この画素の位置と同じ位置に格納されている温度値を読み出す。そして、読み出した温度値が格納されているレコードを検索し、検索されたレコードの出力値のセルに格納されている出力値をデータ電極駆動回路１３１へ出力する。例えば、図１０に示したように３行２列目の画素の画素値が「１」であり、図１１に示したように３行２列目の画素の温度が２５℃である場合、テーブルＴＢにおいて温度値フィールドに２５℃が格納されているレコードが検索され、このレコードの出力値のセルに格納されている値「５０」がデータ電極駆動回路１３１へ出力される。
【００４３】
（電源回路１２０）
電源回路１２０は、データ電極駆動回路１３１に接続されたデータ電極用電源回路１２１と、走査電極駆動回路１３２に接続された走査電極用電源回路１２２とを有している。データ電極用電源回路１２１は、図６に示した黒選択電圧Ｖ１と、白選択電圧Ｖ２とを生成する回路であり、生成した電圧をデータ電極駆動回路１３１へ供給する。また、走査電極用電源回路１２２は、リセット電圧、保持電圧、選択期間や非選択期間において走査線に印加する電圧（図６に示した０Ｖ、Ｖ１＋Ｖ２、（Ｖ１＋Ｖ２）／２））等を生成する回路であり、生成した電圧を走査電極駆動回路１３２へ供給する。
【００４４】
（データ電極駆動回路１３１、走査電極駆動回路１３２）
走査電極駆動回路１３２は、走査線に電圧を印加する回路である。走査電極駆動回路１３２は、表示体駆動制御回路１１５の制御の下、リセット電圧や保持電圧、選択期間や非選択期間において走査線に印加する電圧等、走査電極用電源回路１２２から供給された電圧を選択して出力し、図６に示した波形の電圧を走査線に印加する。
【００４５】
また、データ電極駆動回路１３１は、データ線に電圧を印加する回路である。データ電極駆動回路１３１は、表示体駆動制御回路１１５から送られる出力値に応じて、データ電極用電源回路１２１から供給された電圧のいずれかを選択して出力し、各データ線に図６示した波形の電圧を印加する。
具体的には、例えば、走査線Ｙ１の１行分について正規化された画素値が表示体駆動制御回路１１５から出力され、データ線Ｘ１の列については、画素値として黒を表す「０」が入力された場合、データ電極駆動回路１３１は、選択期間の前半においては黒を表示するための黒選択電圧Ｖ１、選択期間の後半においては白を表示するための白選択電圧Ｖ２をデータ線Ｘ１に印加する。
また、例えば、データ線Ｘ３の列について、画素値として白を表す「２５５」が入力された場合、データ電極駆動回路１３１は、選択期間の前半においては白を表示するための白選択電圧Ｖ２、選択期間の後半においては黒を表示するための黒選択電圧Ｖ１をデータ線Ｘ３に印加する。
また、例えば、データ線Ｘ２の列について、画素値として中間階調を表す「１００」が入力された場合、データ電極駆動回路１３１は、選択期間の前半においては、黒を表示するための黒選択電圧Ｖ１と、白を表示するための白選択電圧Ｖ２とをデータ線Ｘ２に印加し、選択期間の後半においても、黒を表示するための黒選択電圧Ｖ１と、白を表示するための白選択電圧Ｖ２とをデータ線Ｘ２に印加する。なお、中間階調を表す画素値に対応して電圧を印加する際、黒選択電圧Ｖ１の印加期間と白選択電圧Ｖ２の印加期間は、入力された出力値によりその印加期間が制御され、値が小さいほど黒選択電圧Ｖ１の印加期間が長くなり、値が大きくなるにつれて、黒選択電圧Ｖ１の印加期間が短くなるとともに白選択電圧Ｖ２の印加期間が長くなる。
【００４６】
［実施形態の動作］
次に本実施形態に係る電子機器１００において画像表示を行う時の動作について説明する。まず、ＲＡＭ１１３に格納された画像データが表す画像の表示を指示する操作をユーザがインターフェース１６０において行うと、ＣＰＵ１１１は、画素値マップＭＡＰ１と温度マップＭＡＰ２の各領域に格納されている値を消去し、画素値マップＭＡＰ１と温度マップＭＡＰ２を初期化する（図１４：ステップＳＡ１）。
【００４７】
次にＣＰＵ１１１は、ＡＤコンバータ１１４から出力されているデジタル値、即ち、温度センサ１５０で測定された温度を表す値を取得し、取得した値をＲＡＭ１１３に格納する。本実施形態では、６つの温度センサが表示装置１４０に配置されているため、各温度センサ１５０Ａ〜１５０Ｆに対応した６つのデジタル値がＲＡＭ１１３に格納される。ＣＰＵ１１１は、ＲＡＭ１１３にデジタル値を格納すると、格納したデジタル値を温度の値に変換する（ステップＳＡ２）。なお、デジタル値を温度値に変換する際には、デジタル値と温度値との対応関係を表したテーブルを用いてもよいし、予め記憶した数式に基づいてデジタル値を温度値に変換してもよい。
【００４８】
次にＣＰＵ１１１は、表示領域の中央と４隅にある温度センサ１５０Ａ〜１５０Ｅの５つの温度値の平均値（基準値）を算出する。ＣＰＵ１１１は温度の平均値を算出すると、この平均値を基準温度としてＲＡＭ１１３に格納すると共に、この平均値を一旦、温度マップの全ての領域に格納する（ステップＳＡ３）。
【００４９】
次にＣＰＵ１１１は、温度センサ１５０Ｆに最も近い温度センサ１５０Ａの温度値を、温度マップＭＡＰ２の温度格納領域に格納する（ステップＳＡ４）。具体的には、例えば、温度センサ１５０Ａが、走査線Ｙａと、データ線Ｘｂとの交差位置（ａ，ｂはいずれも整数）にあり、温度センサ１５０Ａで検知した温度が「２５℃」である場合、ＣＰＵ１１１は、走査線Ｙａと、データ線Ｘｂとの交差位置に対応した温度格納領域から所定範囲内
にある温度格納領域Ａ（図１５）に温度の値「２５」を格納する。
また、ＣＰＵ１１１は、温度センサ１５０Ｆの温度値を、温度マップＭＡＰ２の温度格納領域に格納する（ステップＳＡ５）。具体的には、例えば、温度センサ１５０Ｆが、走査線Ｙａと、データ線Ｘｃ（ここでｃは、ｂより小さな整数）の交差位置にあり、温度センサ１５０Ｆで検知した温度が「２８℃」である場合、ＣＰＵ１１１は、走査線Ｙａと、データ線Ｘｃとの交差位置に対応した温度格納領域から所定範囲内にある温度格納領域Ｂ（図１５）に「２８」を格納する。
【００５０】
次に、ＣＰＵ１１１は、温度センサ１５０Ａの位置に対応した温度格納領域Ａに格納された温度値と、温度センサ１５０Ｆの位置に対応した温度格納領域Ｂに格納された温度値との差を求める。そして、求めた温度差に基づいて、温度センサ１５０Ａの位置から温度センサ１５０Ｆの位置の間にある各電気光学素子１４１の温度を求め、求めた温度を温度格納領域Ａから温度格納領域Ｂの間にある各温度格納領域に格納する（ステップＳＡ６）。
【００５１】
具体的には、上述したように、温度センサ１５０Ａの温度が「２５℃」、温度センサ１５０Ｆの温度が「２８℃」である場合、温度センサ１５０Ａの温度と温度センサ１５０Ｆとの間の画素は、２５℃〜２８℃の間の温度となる。ＣＰＵ１１１は、温度として「２５」が格納された温度格納領域Ａと、温度として「２８」が格納された温度格納領域Ｂとの間にある温度格納領域を、所定の温度で区切って複数の区間に分割する。ここで、１つの区間の温度を１℃とする場合、図１６に示したように、温度センサ１５０Ａと温度センサ１５０Ｆとの間は、温度センサ１５０Ｆの２８℃の領域を中心として、２７℃の領域、２６℃の領域というように分割される。ＣＰＵ１１１は、この分割された領域内にある画素に対応した温度格納領域に、各領域の温度を格納する。例えば、図１７に示した２７℃の温度領域に対応した温度格納領域Ｃには温度として「２７」が格納され、２６℃の温度領域に対応した温度格納領域Ｄには温度として「２６」が格納される。
【００５２】
ＣＰＵ１１１は、各温度領域への温度値の格納が終了すると、ＲＡＭ１１３に記憶されている画像データが表すｎ行×ｍ列の画像のビットマップデータを生成する。そして、生成したビットマップデータを表示体駆動制御回路１１５へ出力する。表示体駆動制御回路１１５は、ＣＰＵ１１１から出力されたビットマップデータを受け取ると、受け取ったビットマップデータが表す画像の各画素の画素値を画素値マップＭＡＰ１に記憶させる（ステップＳＡ７）。そして、表示体駆動制御回路１１５において画素値の画素値マップＭＡＰ１への格納が終了すると、ビットマップデータが表す画像の表示が表示装置１４０において行われる（ステップＳＡ８）。
【００５３】
以下、画像の表示について各画素について着目して具体的に説明する。まずリセット電圧が図４に示したリセット期間において走査電極駆動回路１３２から出力されて走査線Ｙ１に印加され、リセット期間が終了すると選択期間に移行する。この選択期間においては、画素値マップＭＡＰ１に格納されている１行分のデータが正規化されて表示体駆動制御回路１１５からデータ電極駆動回路１３１へ出力され、データ電極駆動回路１３１に読み込まれる。
【００５４】
具体的に、Ｙａ行目のデータを正規化して出力する場合を例にして説明すると、Ｙａ行目のデータにおいて、１列目（Ｘ１）の画素値が白を表す「２」である場合、この値が正規化されて「２５５」が１列目の画素値のデータとしてデータ電極駆動回路１３１へ出力される。また、３列目（Ｘ３）の画素値が黒を表す「０」である場合、この値が正規化されて「０」が３列目の画素値のデータとしてデータ電極駆動回路１３１へ出力される。
【００５５】
また、ある列の画素値が中間階調を表す「１」である場合、温度マップＭＡＰ２のこの
列のＹａ行目の温度格納領域に格納されている温度値が読み出される。そして、この読み出した温度値が格納されているレコードがテーブルＴＢ１において検索され、検索されたレコードの出力値のセルに格納されている出力値がデータ電極駆動回路１３１へ出力される。
例えば、ある画素の画素値が「１」であり、この画素の温度を格納した温度格納領域が図１７に示した温度格納領域Ｄ内にある場合、この画素の温度は２６℃であるため、温度値フィールドに２６℃が格納されているレコードが検索され、このレコードの出力値のセルに格納されている出力値「１００」がデータ電極駆動回路１３１へ出力される。
また、ある画素の画素値が「１」であり、この画素の温度を格納した温度格納領域が図１７に示した温度格納領域Ｃ内にある場合、この画素の温度は２７℃であるため、温度値フィールドに２７℃が格納されているレコードが検索され、このレコードの出力値のセルに格納されている出力値「１５０」がデータ電極駆動回路１３１へ出力される。
【００５６】
そして、走査線Ｙａの１行分のデータをデータ電極駆動回路１３１が受け取ると、走査線Ｙａにおいては、図６に示した選択期間走査電圧波形の電圧が走査電極駆動回路１３２から印加される。
一方、データ線Ｘ１、Ｘ２、…、Ｘｍにおいては、表示体駆動制御回路１１５から出力された出力値に応じてデータ電極駆動回路１３１から電圧が印加される。例えば、Ｙａ行目の１列目の出力値が上述したように白を表す「２５５」である場合、データ線Ｘ１においては、図６に示した、選択期間の前半においては白選択電圧Ｖ２、選択期間の後半においては黒選択電圧Ｖ１という波形の電圧が印加される。これにより、走査線Ｙａとデータ線Ｘ１とが交差する位置の電気光学素子１４１には、選択期間の前半においてはＶ２、後半においては−Ｖ２という電圧が印加され、コレステリック液晶がＨ配向となる。
【００５７】
また、Ｙａ行目の３列目の出力値が上述したように黒を表す「０」である場合、データ線Ｘ３においては、図６に示した、選択期間の前半においては黒選択電圧Ｖ１、選択期間の後半においては白選択電圧Ｖ２という波形の電圧が印加される。これにより、走査線Ｙａとデータ線Ｘ３とが交差する位置の電気光学素子１４１には、選択期間の前半においてはＶ１、後半においては−Ｖ１という電圧が印加され、コレステリック液晶がＴＰ配向となる。
【００５８】
また、上述したようにＹａ行目で温度格納領域Ｄの領域に属する画素の出力値が「１００」、即ち中間階調を表す数値である場合、この画素に対応したデータ線においては、出力値の値に応じて、選択期間の前半において黒選択電圧Ｖ１と白選択電圧Ｖ２の印加期間がＰＷＭ制御により調整されて印加され、また、出力値の値に応じて、選択期間の後半においても黒選択電圧Ｖ１と白選択電圧Ｖ２の印加期間がＰＷＭ制御により調整されて印加される。そして、選択期間において画素に対応する電気光学素子１４１に印加される駆動電圧（データ電圧ＶＳＥＧ−走査電圧ＶＣＯＭ）は、選択期間の前半においてはＶ１の後でＶ２となり、後半においては−Ｖ２の後で−Ｖ１となって、電気光学素子１４１においてはＨ配向とＴＰ配向が混在することとなる。なお、ここで、電気光学素子１４１に印加される駆動電圧の実効値は、図１３における電圧Ｖ２６０である。
【００５９】
また、上述したようにＹａ行目で温度格納領域Ｃの領域に属する画素の出力値が「１５０」、即ち中間階調を表す数値である場合、この画素に対応したデータ線においては、出力値の値に応じて、選択期間の前半において黒選択電圧Ｖ１と白選択電圧Ｖ２の印加期間がＰＷＭ制御により調整されて印加され、また、出力値の値に応じて、選択期間の後半においても黒選択電圧Ｖ１と白選択電圧Ｖ２の印加期間がＰＷＭ制御により調整されて印加される。これにより、電気光学素子１４１においてはＨ配向とＴＰ配向が混在することとなる。なお、ここで、電気光学素子１４１に印加される駆動電圧の実効値は、図１３における電圧Ｖ２７０である。
【００６０】
次に、選択期間が終了すると保持期間に移行し、保持期間においては保持電圧がコレステリック液晶に印加される。これにより、配向状態がＨ配向となっている部分においては、コレステリック液晶の配向状態がＨ配向となっているのでＨ配向が保たれ、配向状態がＴＰ配向となっている部分においては、配向状態がＴＰ配向となっているのでＦ配向に移行する。
【００６１】
そして、この後、保持期間から非選択期間に移行すると、Ｈ配向となっている部分においては、図６に示した非選択期間走査電圧波形の電圧が走査電極駆動回路１３２から印加されて保持電圧が除去される。すると、保持期間においてＨ配向であった部分はＰ配向に遷移して白を表示し、保持期間においてＦ配向であった部分はＦ配向を維持して黒を表示する。即ち、駆動電圧として黒選択電圧Ｖ１が印加された電気光学素子１４１は、黒を表示し、駆動電圧として白選択電圧Ｖ２が印加された電気光学素子１４１は、白を表示する。
【００６２】
また、黒選択電圧Ｖ１と白選択電圧Ｖ２が印加された電気光学素子１４１は、Ｐ配向とＦ配向が混在するため中間階調が表示される。なお、中間階調を表示する電気光学素子１４１は、上述したように、印加される駆動電圧の実効値が電気光学素子１４１の温度に応じて制御されるため、表示装置１４０の表示領域内において図１６に示したように温度ムラが生じても、画素が白または黒になることがなく中間階調が正しく表示される。
【００６３】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００６４】
上述した実施形態においては、ＣＰＵ１１１が、ビットマップデータが表すビットマップ画像を画像解析し、画像中において文字のある文字領域を抽出してもよい。そして、この文字領域内にある画素を特定し、この特定された画素に対応する画素値格納領域に、文字領域内の画素であることを示す文字領域情報を画素値と合わせて格納するようにしてもよい。そして、画素値マップＭＡＰ１に格納されている画素値を正規化してデータ電極駆動回路１３１へ出力する際、画素値マップＭＡＰ１に格納されている画素値が中間階調を表す画素値である場合、文字領域情報が画素値格納領域にあるか否かに応じて、データ電極駆動回路１３１へ出力する画素値を異ならせてもよい。
【００６５】
例えば、温度センサ１５０Ａ〜１５０Ｅで求めた温度の平均値が「２５℃」であるときに、文字領域外にある中間階調の画素の画素値を正規化してデータ電極駆動回路１３１へ出力する場合、中間階調の画素の温度が２６℃であると、表示体駆動制御回路１１５は、温度値フィールドに２６℃が格納されているレコードを検索し、このレコードの出力値のセルに格納されている出力値「１００」をデータ電極駆動回路１３１へ出力する。
一方、図１８に示したように文字領域が複数の温度領域にかかる場合、文字領域内の中間階調の画素の画素値を正規化してデータ電極駆動回路１３１へ出力する際には、いずれかの一の温度領域の温度が格納されているレコードをテーブルＴＢにおいて検索し、このレコードの出力値のセルに格納されている出力値をデータ電極駆動回路１３１へ出力してもよい。
【００６６】
例えば、図１８に示した例の場合、「あ」と「い」の文字領域については２８℃が格納されているレコードをテーブルＴＢにおいて検索し、文字領域内にある中間階調の画素の画素については、このレコードの出力値のセルに格納されている出力値を出力する。また、「う」の文字領域については２７℃が格納されているレコードをテーブルＴＢにおいて
検索し、文字領域内にある中間階調の画素の画素については、このレコードの出力値のセルに格納されている出力値を出力する。
【００６７】
一方、図１８に示した「え」のように文字領域が複数の温度領域に跨っている場合、跨っているいずれかの温度領域の温度が格納されているレコードをテーブルＴＢにおいて検索し、文字領域内にある中間階調の画素の画素については、このレコードの出力値のセルに格納されている出力値を出力する。例えば、２７℃の温度領域と２６℃の温度領域に跨っている「え」の文字領域については、２７℃が格納されているレコードをテーブルＴＢにおいて検索し、文字領域内にある中間階調の画素の画素については、このレコードの出力値のセルに格納されている出力値を出力する。また、２６℃の温度領域と２５℃の温度領域に跨っている「お」の文字領域については、２６℃が格納されているレコードをテーブルＴＢにおいて検索し、文字領域内にある中間階調の画素の画素については、このレコードの出力値のセルに格納されている出力値を出力する。この構成によれば、中間階調の画素の画素値を正規化してデータ電極駆動回路１３１へ出力する際に文字領域内にある中間階調の画素の画素値については、文字領域内で温度差があっても同じ値が出力される。つまり、表示装置１４０においては、文字は複数の画素を組み合わせて表示されるが、この構成においては、文字を構成する画素が中間階調で表示される場合、各画素の温度が異なっても、中間階調を表示するために電気光学素子１４１に印加される電圧は、文字領域内においては一定となる。
【００６８】
電子機器１００においては、発熱部分、発熱部分の単位時間あたりの発熱量などは、設計段階において、実験を行うことにより予め知ることができる。このため、上述した実施形態においては、発熱部分の温度を算出する数式を実験結果から予め定めてもよい。そして、温度センサ１５０Ｆを設けず、発熱する電子部品近傍の表示領域の温度を予め定めた数式から算出し、この算出した温度を、温度マップＭＡＰ２において発熱部分に対応する温度格納領域に格納するようにしてもよい。そして、中間階調を表示する時には、この格納した温度に基づいてデータ電圧波形のＰＷＭ制御を行うようにしてもよい。この構成によれば、温度センサ１５０を設けなくとも温度ムラの生じる部分について中間階調を正しく行うことができるため、コストダウンや制御回路の単純化が達成できる。
また、発熱部分を中心とした温度分布を算出する数式を実験結果から求めてもよい。そして、発熱する電子部品近傍にある温度センサ１５０Ｆの温度を取得し、この取得した温度と、発熱部分を中心とした温度分布を算出する数式に基づいて、発熱部分近傍における表示装置１４０の各画素の温度を温度マップＭＡＰ２に格納してもよい。
【００６９】
上述した実施形態においては、温度センサ１５０の数は６つとなっているが、温度センサ１５０の数は、この数に限定されるものではない。
例えば、温度の平均値を得るための温度センサ１５０は、表示領域の中央に配置せず４隅にのみ配置してもよい。この場合、温度センサ１５０Ｆに近い温度センサ１５０との間を所定の温度単位で区切って複数の温度領域に分割し、各領域の温度を領域に属する画素に対応した温度格納領域に格納する。
また、電子機器１００において発熱して表示領域に温度ムラを生じさせる電子部品が複数ある場合には、温度ムラを生じさせる電子部品の数に対応して温度センサ１５０を複数設けてもよい。
また、温度ムラを生じさせる複数の電子部品に対応して複数の温度センサ１５０を配置する場合、上述した実施形態のように、これらの温度センサ１５０で検知した温度と、この温度センサ１５０の周辺の領域の温度を図１７に示したように温度格納領域に格納してもよい。
【００７０】
上述した第１実施形態においては温度センサ１５０Ａ〜１５０Ｅで検知した温度により、温度の平均値を求めているが、検知した温度の標準偏差σを求め、ＲＡＭ１１３に格納
した複数の温度値から３σの範囲外にある値を除外して温度の平均値（基準値）を求め、この求めた平均値を温度マップＭＡＰ２に格納するようにしてもよい。この構成によれば、温度センサ１５０の取り付け不良や温度センサ１５０の故障によって、他の温度センサ１５０と著しく異なる温度値がＲＡＭ１１３に格納されたり、一部領域の局所的な加熱または冷却によって値の著しく異なる温度値がＲＡＭ１１３に格納されても、このような温度値は平均値の算出からは除外されるので、表示を正しく行うことができる。
【００７１】
上述した実施形態においては、温度センサ１５０Ａと温度センサ１５０Ｆとの間を１℃単位で区切って複数の温度領域に分割しているが、１℃単位ではなく例えば０．９５℃単位など、１℃未満の単位で複数の温度領域に分割してもよい。また、１℃未満ではなく、１℃以上の単位で複数の温度領域に分割してもよい。
【００７２】
上述した実施形態においては、ステップＳＡ３において温度センサ１５０Ａ〜１５０Ｅの５つの温度値の平均値を基準温度として温度マップの全ての領域に格納しているが、５つの温度値のなかで最低温度を基準温度としてＲＡＭ１１３に格納すると共に、温度マップの全ての領域に格納するようにしてもよい。
【００７３】
上述した実施形態においては、電気光学素子としてコレステリック液晶を用いたが、電気光学素子として、温度に影響を受ける他の表示材料を用いた表示装置に本発明を適用してもよい。
【図面の簡単な説明】
【００７４】
【図１】本発明の一実施形態に係る電子機器１００のハードウェア構成図である。
【図２】表示装置１４０の断面とコレステリック液晶の配向状態を示した図である。
【図３】表示装置１４０の走査線とデータ線とを模式的に示した図である。
【図４】ＤＤＳにおける電圧印加期間を説明するための図である。
【図５】ＤＤＳにおけるコレステリック液晶の配向遷移を説明するための図である。
【図６】ＤＤＳにおける駆動電圧を説明するための図である。
【図７】温度センサ１５０の構成を示した図である。
【図８】温度センサ１５０Ａ〜１５０Ｆの配置位置を示した図である。
【図９】電子機器１００の断面の一部を模式的に示した図である。
【図１０】画素値マップＭＡＰ１を模式的に示した図である。
【図１１】温度マップＭＡＰ２を模式的に示した図である。
【図１２】テーブルＴＢのフォーマットを例示した図である。
【図１３】温度の違いによる選択電圧と反射率との関係を模式的に示した図である。
【図１４】電子機器１００が行う処理の流れを示したフローチャートである。
【図１５】温度マップＭＡＰ２を模式的に示した図である。
【図１６】温度センサ１５０Ａと温度センサ１５０Ｆ周辺の温度分布を模式的に示した図である。
【図１７】温度マップＭＡＰ２を模式的に示した図である。
【図１８】文字領域を説明するための図である。
【図１９】温度の違いによる選択電圧と反射率との関係を模式的に示した図である。
【符号の説明】
【００７５】
１００・・・電子機器、１１０・・・制御回路、１１１・・・ＣＰＵ、１１２・・・ＲＯＭ、１１３・・・ＲＡＭ、１１４・・・ＡＤコンバータ、１１５・・・表示体駆動制御回路、１２０・・・電源回路、１２１・・・データ電極用電源回路、１２２・・・走査電極用電源回路、１３０・・・表示体駆動回路、１３１・・・データ電極駆動回路、１３２・・・走査電極駆動回路、１４０・・・表示装置、１５０，１５０Ａ〜１５０Ｆ・・・温度センサ、１６０・・・インターフェース、１４１１・・・コレステリック液晶層、１４１
２・・・上側ガラス基板、１４１３・・・下側ガラス基板、１４１４・・・上側透明電極、１４１５・・・下側透明電極、１４１６・・・光吸収層
【図１】
2008257010.tif 000003
【図２】
2008257010.tif 000004
【図３】
2008257010.tif 000005
【図４】
2008257010.tif 000006
【図５】
2008257010.tif 000007
【図６】
2008257010.tif 000008
【図７】
2008257010.tif 000009
【図８】
2008257010.tif 000010
【図９】
2008257010.tif 000011
【図１０】
2008257010.tif 000012
【図１１】
2008257010.tif 000013
【図１２】
2008257010.tif 000014
【図１３】
2008257010.tif 000015
【図１４】
2008257010.tif 000016
【図１５】
2008257010.tif 000017
【図１６】
2008257010.tif 000018
【図１７】
2008257010.tif 000019
【図１８】
2008257010.tif 000020
【図１９】
2008257010.tif 000021